(57)【要約】      （修正有）【課題】モジュールコネクタの提供。【解決手段】絶縁ケース２０が四つの側板２２と、四つの側板が包囲してなる挿嵌空間２３を具えて外部モジュールを収容し、各側板に複数の端子溝２２７が開設され、複数の端子が対応する収容溝に収容され並びに外部モジュールと電気的に導通する。一対の回転カバー６０が絶縁ケース上部両側に軸着され、一体成形の押圧部、回転部及び係合部を具え、回転部と絶縁ケースが枢設され、係合部と絶縁ケースが分離可能に係合され、押圧部が下向きに外部モジュールを押圧する。係合部が係合を離脱し並びに外向きに回転カバーが開かれる時、外部モジュールが押圧部による押圧制限より離脱して簡単、敏捷に本考案のモジュールコネクタ内より取り出し可能となり、工具の使用による外部モジュールの損傷の情況の発生を防止する。【選択図】図２
0003109926.tif 000002
【実用新案登録請求の範囲】
【請求項１】
絶縁ケース、複数の端子、回転カバーを具え、
該絶縁ケースは四つの側板を具え、該四つの側板で囲まれてなる挿嵌空間に外部モジュールを収容し、各側板に複数の端子溝が開設され、
該複数の端子は、該絶縁ケースの対応する端子溝内に収容され並びに外部モジュールと電気的に接続され、
該回転カバーは、一体成形された押圧部、回転部及び係合部を具え、回転部と絶縁ケースは枢設され、係合部と絶縁ケースは分離可能に係合され、押圧部が下向きに外部モジュールを押圧することを特徴とする、モジュールコネクタ。
【請求項２】
請求項１記載のモジュールコネクタにおいて、挟持ケースを更に具え、該挟持ケースが絶縁ケースの側板外側面に対応する四つの挟持板を具え、各挟持板の上端に挿嵌空間に向けて突出し外部モジュールの側壁に圧接する圧接片が設けられたことを特徴とする、モジュールコネクタ。
【請求項３】
請求項２記載のモジュールコネクタにおいて、挟持ケースが一体加工成形で形成され、並びに四つの挟持板が止め合わされてなることを特徴とする、モジュールコネクタ。
【請求項４】
請求項２記載のモジュールコネクタにおいて、挟持板の圧接片がモジュールコネクタの各一側の中心線の一側に位置し、複数の端子がモジュールコネクタの各一側の中心線の両側に位置し、該圧接片と同側の端子の外部モジュールに対する圧接力の合計が中心線の別側の全ての端子の外部モジュールの圧接力の合計に等しいことを特徴とする、モジュールコネクタ。
【請求項５】
請求項１記載のモジュールコネクタにおいて、端子が圧接部を具え、該圧接部は絶縁ケースの端子溝より露出して挿嵌空間内に進入し、並びに外部モジュールの側壁に圧接することを特徴とする、モジュールコネクタ。
【請求項６】
請求項５記載のモジュールコネクタにおいて、端子が直立する基部を具えて絶縁ケースの端子溝と干渉を形成するよう組み合わされ、基部上端が下向きに折り曲げられて弾性圧接アームが形成され、この圧接アームが端子溝内に収容され、圧接アームの底端が更に傾斜するよう上向きに折り曲げられて弾性導通アームが形成され、該圧接アームの略中部にこの導通アームに向けて突出する圧接部が形成され、該導通アームの自由端に上向きに突出する導通部が設けられて外部モジュールと電気的に接続されることを特徴とする、モジュールコネクタ。
【請求項７】
請求項１記載のモジュールコネクタにおいて、回転カバーの押圧部が矩形の押圧片とされ、回転部は押圧片の前後両端より外側に延伸され下向きに折り曲げられた枢設アームとされ、各枢設アームが絶縁ケースの前後の対応する側板に枢設され、係合部は押圧片の前後両端の内側より下に折り曲げられて延伸された弾性係合アームとされ、各弾性係合アームが絶縁本体の前後側板と係合されたことを特徴とする、モジュールコネクタ。
【請求項８】
請求項７記載のモジュールコネクタにおいて、挟持ケースを更に具え、該挟持ケースが絶縁ケースの側板外側面に対応する四つの挟持板を具え、各挟持板の上端に挿嵌空間に向けて突出し外部モジュールの側壁に圧接する圧接片が設けられたことを特徴とする、モジュールコネクタ。
【請求項９】
請求項８記載のモジュールコネクタにおいて、絶縁ケースの前後の対向する側板の外壁上端の二つの角部に枢設溝が設けられ、左右の対向する側板の両側に枢設溝と連通する取り付け溝が設けられ、挟持ケースの前後の対向する挟持板の外壁上端の二つの角部に取り付け孔が設けられ、回転カバーの枢設アームが挟持ケースの挟持板及び同側の絶縁ケースの側板の間に位置し並びに上述の枢設溝内に進入し、該枢設アームに位置決め孔が設けられ、位置決め柱が取り付け孔と位置決め孔を貫通し、並びに絶縁ケースの取り付け溝内に収容、位置決めされたことを特徴とする、モジュールコネクタ。
【請求項１０】
請求項８記載のモジュールコネクタにおいて、挟持ケースの前後の対向する挟持板の上端に挿嵌空間に向けて水平に延伸されたカバー板が設けられ、カバー板に係合孔が設けられ、絶縁ケースの前後の対向する側板の上壁にカバー板の係合孔に対応する係合溝が設けられ、且つ係合溝の前後幅が係合孔の前後幅より大きく、該回転カバーの係合アームに外向きに突出するストッパ部が形成され、該ストッパ部が絶縁ケースの係合溝内に収容され並びに挟持ケースの係合孔と係合することを特徴とする、モジュールコネクタ。
【考案の詳細な説明】
【技術分野】
【０００１】
本考案は一種のモジュールコネクタに係り、特にデジタルカメラレンズモジュールを保持するモジュールコネクタに関する。
【背景技術】
【０００２】
デジタルカメラ技術の発展と普及に伴い、多くの携帯電話等の電子製品にデジタル撮影機能が整合され、比較的よく見られる設計は消費電子製品の本体にモジュールコネクタが組付けられ、その後、外部デジタルカメラレンズモジュールがこのモジュールコネクタに取り付けられ、これによりデジタル撮影機能の整合が達成される。
【０００３】
２００４年８月２６日に公開された特許文献１には上述のデジタルカメラレンズモジュールを保持するモジュールコネクタが開示されている。このモジュールコネクタは、矩形の絶縁ケースを具え、絶縁ケースの四つの側板の包囲により形成された挿嵌空間に、デジタルカメラレンズモジュールの挿入に供される。各側板の内壁は複数の端子を収容し、各端子の挿嵌空間に向けて突出する圧接導通部が、デジタルカメラレンズモジュールの側壁を押圧し並びにレンズモジュールの側壁の導電片と電気的に導通し、これにより、レンズモジュールのモジュールコネクタに対する水平移動が防止され、またレンズモジュールとモジュールコネクタ間の電気的導通が達成される。
【０００４】
上述の周知のモジュールコネクタは更に四つの金属挟持板を具え、各挟持板の上端両側に下向きに折り曲げられた挟持片が設けられて絶縁ケースの対応する側板を挟持し、これにより、これら挟持板と絶縁ケース間の組合せが完成する。各挟持板の二つの挟持片間のそのうち一つの挟持片の近隣位置に下向きに折り曲げられた弾性押圧片が設けられ、下向きにレンズモジュールの上面を押圧し並びにレンズモジュール上面の接地片と電気的に導通し、これによりレンズモジュールのモジュールコネクタに対する垂直移動を防止し、並びにレンズモジュールとモジュールコネクタが接地される。
【０００５】
しかし、消費電子製品メーカーが検査或いは修理のためにレンズモジュールを上述の周知のモジュールコネクタより取り出す時、余分の工具を利用してレンズモジュールの垂直方向移動を制限する押圧片に対する操作を行ない、押圧片をレンズモジュールの上面より移動させなければレンズモジュールを取り出せない。このような操作はレンズモジュール取り出し過程が複雑で、且つレンズモジュールを損傷させやすい。
【０００６】
【特許文献１】特開２００４−２４１２２５号明細書
【考案の開示】
【考案が解決しようとする課題】
【０００７】
本考案の主要な目的は、上述の周知の技術の欠点に対して、一種のモジュールコネクタを提供することにある。それは、絶縁ケースを具え、該絶縁ケースの内部には複数の端子が収容され、外部には回転カバーが軸着されている。絶縁ケースは四つの側板を具え、四つの側板で囲まれてなる挿嵌空間に、外部モジュールが収容され、各側板に複数の端子溝が開設され、複数の端子が対応する端子溝内に収容され並びに外部モジュールと電気的に接続される。上述の回転カバーは一体成形された押圧部、回転部及び係合部を具え、回転部と絶縁ケースは軸着され、係合部と絶縁ケースは分離可能に係合され、押圧部が下向きに外部モジュールを押圧する。係合部が係合より離脱し並びに外向きに回転カバーが開かれる時、外部モジュールは押圧部の押圧制限より離脱し、これにより簡単、敏捷に本考案のモジュールコネクタより取り出すことができ、工具の使用による外部モジュール損傷の情況の発生が防止される。
【０００８】
本考案のもう一つの目的は、一種のモジュールコネクタを提供することにあり、それは、回転カバーの押圧部が矩形押圧片とされ、回転部は押圧片の前後両端より外側に延伸され下向きに折り曲げられた枢設アームとされ、各枢設アームが絶縁ケースの前後の対応する側板に枢設され、係合部は押圧片の前後両端の内側より下に折り曲げられて延伸された弾性係合アームとされ、各係合アームが絶縁本体の前後側板と係合され、これにより、押圧片と外部モジュール間の接触面積が増され、十分な押圧力を提供して外部モジュールを押圧し、これにより外部モジュールを正確に本考案のモジュールコネクタ内に位置決めできる。
【０００９】
本考案はまた一種のモジュールコネクタを提供することを目的とし、それは、更に挟持ケースを具え、該挟持ケースは四つの挟持板を具え、該挟持板が絶縁ケースの対応する側板の外側面に固定され、各挟持板の上端より挿嵌空間に向けて圧接片が凸設され、外部モジュールの側壁に圧接し、これにより本考案のモジュールコネクタと外部モジュールが水平方向にあって密接に圧接し、相対運動を発生しない。
【００１０】
本考案は更に一種のモジュールコネクタを提供することを目的とし、それは、挟持ケースの前後の対向する挟持板の上端に挿嵌空間に向けて水平にカバー板が延伸され、カバー板に係合孔が設けられ、絶縁ケース前後の対応する側板上壁に係合孔に対応する係合溝が設けられ、且つ係合溝の前後の幅が係合孔の前後の幅より大きく、回転カバーの係合アームに外向きに突出するストッパ部が形成され、ストッパ部が絶縁ケースの係合溝内に収容され、並びに挟持ケースの係合孔と係合し、これにより回転カバーが強固に絶縁ケース内に保持され、これにより回転カバーと外部モジュールの垂直方向の緊密な圧接が達成される。
【課題を解決するための手段】
【００１１】
請求項１の考案は、絶縁ケース、複数の端子、回転カバーを具え、
該絶縁ケースは四つの側板を具え、該四つの側板で囲まれてなる挿嵌空間に外部モジュールを収容し、各側板に複数の端子溝が開設され、
該複数の端子は、該絶縁ケースの対応する端子溝内に収容され並びに外部モジュールと電気的に接続され、
該回転カバーは、一体成形された押圧部、回転部及び係合部を具え、回転部と絶縁ケースは枢設され、係合部と絶縁ケースは分離可能に係合され、押圧部が下向きに外部モジュールを押圧することを特徴とする、モジュールコネクタとしている。
請求項２の考案は、請求項１記載のモジュールコネクタにおいて、挟持ケースを更に具え、該挟持ケースが絶縁ケースの側板外側面に対応する四つの挟持板を具え、各挟持板の上端に挿嵌空間に向けて突出し外部モジュールの側壁に圧接する圧接片が設けられたことを特徴とする、モジュールコネクタとしている。
請求項３の考案は、請求項２記載のモジュールコネクタにおいて、挟持ケースが一体加工成形で形成され、並びに四つの挟持板が止め合わされてなることを特徴とする、モジュールコネクタとしている。
請求項４の考案は、請求項２記載のモジュールコネクタにおいて、挟持板の圧接片がモジュールコネクタの各一側の中心線の一側に位置し、複数の端子がモジュールコネクタの各一側の中心線の両側に位置し、該圧接片と同側の端子の外部モジュールに対する圧接力の合計が中心線の別側の全ての端子の外部モジュールの圧接力の合計に等しいことを特徴とする、モジュールコネクタとしている。
請求項５の考案は、請求項１記載のモジュールコネクタにおいて、端子が圧接部を具え、該圧接部は絶縁ケースの端子溝より露出して挿嵌空間内に進入し、並びに外部モジュールの側壁に圧接することを特徴とする、モジュールコネクタとしている。
請求項６の考案は、請求項５記載のモジュールコネクタにおいて、端子が直立する基部を具えて絶縁ケースの端子溝と干渉を形成するよう組み合わされ、基部上端が下向きに折り曲げられて弾性圧接アームが形成され、この圧接アームが端子溝内に収容され、圧接アームの底端が更に傾斜するよう上向きに折り曲げられて弾性導通アームが形成され、該圧接アームの略中部にこの導通アームに向けて突出する圧接部が形成され、該導通アームの自由端に上向きに突出する導通部が設けられて外部モジュールと電気的に接続されることを特徴とする、モジュールコネクタとしている。
請求項７の考案は、請求項１記載のモジュールコネクタにおいて、回転カバーの押圧部が矩形の押圧片とされ、回転部は押圧片の前後両端より外側に延伸され下向きに折り曲げられた枢設アームとされ、各枢設アームが絶縁ケースの前後の対応する側板に枢設され、係合部は押圧片の前後両端の内側より下に折り曲げられて延伸された弾性係合アームとされ、各弾性係合アームが絶縁本体の前後側板と係合されたことを特徴とする、モジュールコネクタとしている。
請求項８の考案は、請求項７記載のモジュールコネクタにおいて、挟持ケースを更に具え、該挟持ケースが絶縁ケースの側板外側面に対応する四つの挟持板を具え、各挟持板の上端に挿嵌空間に向けて突出し外部モジュールの側壁に圧接する圧接片が設けられたことを特徴とする、モジュールコネクタとしている。
請求項９の考案は、請求項８記載のモジュールコネクタにおいて、絶縁ケースの前後の対向する側板の外壁上端の二つの角部に枢設溝が設けられ、左右の対向する側板の両側に枢設溝と連通する取り付け溝が設けられ、挟持ケースの前後の対向する挟持板の外壁上端の二つの角部に取り付け孔が設けられ、回転カバーの枢設アームが挟持ケースの挟持板及び同側の絶縁ケースの側板の間に位置し並びに上述の枢設溝内に進入し、該枢設アームに位置決め孔が設けられ、位置決め柱が取り付け孔と位置決め孔を貫通し、並びに絶縁ケースの取り付け溝内に収容、位置決めされたことを特徴とする、モジュールコネクタとしている。
請求項１０の考案は、請求項８記載のモジュールコネクタにおいて、挟持ケースの前後の対向する挟持板の上端に挿嵌空間に向けて水平に延伸されたカバー板が設けられ、カバー板に係合孔が設けられ、絶縁ケースの前後の対向する側板の上壁にカバー板の係合孔に対応する係合溝が設けられ、且つ係合溝の前後幅が係合孔の前後幅より大きく、該回転カバーの係合アームに外向きに突出するストッパ部が形成され、該ストッパ部が絶縁ケースの係合溝内に収容され並びに挟持ケースの係合孔と係合することを特徴とする、モジュールコネクタとしている。
【考案の効果】
【００１２】
本考案のモジュールコネクタは、絶縁ケースが四つの側板と、四つの側板が包囲してなる挿嵌空間を具えて外部モジュールを収容し、各側板に複数の端子溝が開設され、複数の端子が対応する収容溝に収容され並びに外部モジュールと電気的に導通する。一対の回転カバーが絶縁ケース上部両側に軸着され、一体成形の押圧部、回転部及び係合部を具え、回転部と絶縁ケースが枢設され、係合部と絶縁ケースが分離可能に係合され、押圧部が下向きに外部モジュールを押圧する。係合部が係合を離脱し並びに外向きに回転カバーが開かれる時、外部モジュールが押圧部による押圧制限より離脱して簡単、敏捷に本考案のモジュールコネクタ内より取り出し可能となり、工具の使用による外部モジュールの損傷の情況の発生を防止する。
【考案を実施するための最良の形態】
【００１３】
図１及び図２に示されるように、本考案のモジュールコネクタ１０は、絶縁ケース２０、該絶縁ケース２０の内部に収容された複数の端子３０、絶縁ケース２０の外部を被覆する挟持ケース４０、絶縁ケース２０と挟持ケース４０に複数の位置決め柱７０で軸着された一対の回転カバー６０を包含し、これらが一体に組み合わされてなる。
【００１４】
絶縁ケース２０は矩形の底板２１を具え、該底板２１の四側辺より上向きに側板２２が延伸され、四つの側板２２の共同包囲により挿嵌空間２３が形成されている。そのうち、左右の側板２２の外壁両側に嵌合溝２２１が設けられ、前後の側板２２の外壁のほぼ中部に楔塊２２２が設けられ、前後の側板２２の外壁上端の二つの角部に枢設溝２２３が設けられ、左右の側板２２の両側に枢設溝２２３と連通する取り付け溝２２４が設けられ、前後の側板２２の上壁両側の取り付け溝２２４に近い部分に矩形の係合溝２２５が設けられている。各側板２２の一側はくり抜かれて逆Ｌ型の圧接溝２２６が設けられ、該圧接溝２２６は側板２２内壁に沿って縦に延伸された垂直部と横向きに側板２２を貫通する水平部を具えている。各側板２２の別側に側板２２内壁に沿って縦向きに、相互に平行な複数の端子溝２２７が開設され、端子溝２２７の上端は閉じられ、底端と外界が連通し、並びに底板２１に沿って続いて前向きに所定距離延伸され、各端子溝２２７がＬ形に配置されている。このほか、後部に位置する側板２２の内壁にうっかり防止溝２２８が開設され、うっかり防止溝２２８は端子溝２２７の上方に位置し、上端が外界と連通する。
【００１５】
各端子３０は直立する基部３１を具え、基部３１の底端が水平に後ろ向きに折り曲げられてソルダー部３２が形成され、基部３１の上端が下向きに前向きに折り曲げられて弾性圧接アーム３３が形成され、圧接アーム３３の底端が続いて斜め上向きに折り曲げられて弾性導通アーム３４が形成されている。この圧接アーム３３のほぼ中部に導通アーム３４に向けて突出する圧接部３５が形成され、上述の導通アーム３４の自由端が上向きに突出し導通部３６が形成されている。
【００１６】
挟持ケース４０は板金部品とされ一体加工され、並びに四つの挟持板４１が止め合わされてなる。組立時には、一回の操作だけで、四つの挟持板４１が絶縁ケース２０に組付けられる。ゆえに、該挟持ケース４０の一体設計により組立プロセスを簡易化し、組立エラーを防止し、組立の強固性を増すことができる。上述の四つの挟持板４１が共同で、上下に貫通する収容空間４２を形成する。そのうち、前後の挟持板４１のほぼ中部に楔孔４１１が設けられ、挟持板４１の両側に収容空間４２に向けて垂直に折り曲げられた嵌合アーム４１２が設けられ、挟持板４１の上端の二つの角部が絶縁ケース２０の取り付け溝２２４に対応し並びに取り付け孔４１３が設けられている。左右の挟持板４１の両側に固定孔４１４が設けられ、各嵌合アーム４１２に外側に突出する固定ブロック４１５が設けられ、固定ブロック４１５が固定孔４１４内に嵌入し、これにより二つの隣り合う挟持板４１が強固に係合される。各挟持板４１の上端に収容空間４２に向けて折り曲げられた圧接片４１６と一対のカバー板４１７が設けられている。カバー板４１７は圧接片４１６の両側に位置し並びに水平方向に前向きに折りまげられて遠心され、各カバー板４１７に絶縁ケース２０の係合溝２２５に対応する矩形の係合孔４１８が開設され、且つ係合孔４１８の前後幅は係合溝２２５の前後幅より小さい。圧接片４１６は絶縁ケース２０の圧接溝２２６に対応して下向きに折り曲げられ、圧接片４１６の自由端は収容空間４２に向けて折り曲げられて弾性圧接部４１９が形成されている。
【００１７】
回転カバー６０は板金部品とされ一体加工成形され、下向きにレンズモジュール５０を圧接する押圧部、絶縁ケース２０と枢設される回転部、及び絶縁ケース２０に分離可能に係合される係合部を具えている。本実施例では、押圧部は矩形押圧片押圧部は矩形押圧片６１とされ、回転部は押圧片６１の前後両端外側が垂直に下向きに折り曲げられ延伸されてなる枢設アーム６２とされ、係合部は押圧片６１の前後両端内側が下向きに折り曲げられて延伸されてなる弾性係合アーム６３とされ、枢設アーム６２に位置決め孔６４が開設され、係合アーム６３より外向きにストッパ部６５が延伸されている。
【００１８】
図３に示されるように、本考案のモジュールコネクタ１０と組み合わされる外部デジタルカメラレンズモジュール５０は矩形の底座５１を具え、底座５１の上壁にレンズシート５２が固定され、底壁に複数の金属導電片（図示せず）が配設され、且つ底座５１の後端側壁に絶縁ケース２０のうっかり防止溝２２８に対応するよう外向きに突出するうっかり防止ブロック５３が設けられている。
【００１９】
図４から図６に示されるように、本考案のモジュールコネクタ１０の絶縁ケース２０、端子３０及び挟持ケース４０の組立過程は以下のとおりである。端子３０の基部３１を干渉を形成するよう絶縁ケース２０の端子溝２２７内に嵌着し、圧接アーム３３及び導通アーム３４を端子溝２２７の側板２２に位置する垂直部及び底板２１に位置する水平部内に弾性収容し、圧接アーム３３の圧接部３５及び導通アーム３４の導通部３６を端子溝２２７より露出させて挿嵌空間２３内に進入させる。挟持ケース４０は下向きに絶縁ケース２０の外部に係合させ、挟持ケース４０の収容空間４２と絶縁ケース２０の挿嵌空間２３を重合させ、外部デジタルカメラレンズモジュール５０を収容するのに供する（図２）。絶縁ケース２０の楔塊２２２は挟持ケース４０の楔孔４１１内に係合させ、これにより挟持ケース４０の絶縁ケース２０に対する上向きの運動を制限し、挟持ケース４０のカバー板４１７に絶縁ケース２０の側板２２の上壁を被覆させる。これにより、挟持ケース４０の絶縁ケース２０に対する下向きの運動を制限する。挟持ケース４０の嵌合アーム４１２は絶縁ケース２０の嵌合溝２２１内に進入し、これにより挟持ケース４０と絶縁ケース２０が水平方向にあって緊密に係合されて相対運動を発生しない。挟持ケース４０の圧接片４１６は絶縁ケース２０の圧接溝２２６に対応し、挿嵌空間２３内に進入し、これにより圧接片４１６の弾性変形時に必要な十分な収縮空間が提供される。
【００２０】
更に図７、９に示されるように、本考案のモジュールコネクタ１０の絶縁ケース２０及び挟持ケース４０と回転カバー６０及び位置決め柱７０の間の組立過程は以下のとおりである。回転カバー６０の枢設アーム６２を挟持ケース４０の挟持板４１及び同側に位置する絶縁ケース２０の側板２２の間に押し込み、並びに絶縁ケース２０の枢設溝２２３内に挿入し、挟持ケース４０の取り付け孔４１３、回転カバー６０の位置決め孔６４及び絶縁ケース２０の取り付け溝２２４の中心を同一軸線に位置させる。その後、外から内に位置決め柱７０を押動し、位置決め柱７０を順に取り付け孔４１３、位置決め孔６４に通し、並びに取り付け溝２２４内に収容、位置決めする。これにより絶縁ケース２０及び挟持ケース４０及び位置決め柱７０間の枢設組立過程が完成する。
【００２１】
さらに図１０から図１２に示されるように、本考案のモジュールコネクタ１０とレンズモジュール５０間の組立過程は以下のとおりである。まず、レンズモジュール５０のうっかり防止ブロック５３を絶縁ケース２０のうっかり防止溝２２８に整合させ、下向きにレンズモジュール５０を押動し、レンズモジュール５０を挿嵌空間２３内に挿入する。この時、レンズモジュール５０の底座５１の周囲の側壁が外向きに端子３０の圧接部３５と挟持ケース４０の圧接部４１９を押圧し、これにより端子３０の圧接アーム３３及び挟持ケース４０の圧接片４１６がそれぞれ絶縁ケース２０の端子溝２２７及び圧接溝２２６に向けて弾性収縮し、これにより本考案のモジュールコネクタ１０とレンズモジュール５０の水平方向の緊密な当接が形成されて相対運動が防止される。その後、回転カバー６０の枢設アーム６２と絶縁ケース２０及び挟持ケース４０間の組合せにより、二つの回転カバー６０を挿嵌空間２３に向けて下向きに回転させ、回転カバー６０の係合アーム６３を挟持ケース４０の係合孔４１８に通し並びに絶縁ケース２０の係合溝２２５内に係合させる。この時、回転カバー６０の押圧片６１が下向きにレンズモジュール５０の底座５１上壁を押圧し、これにより本考案のモジュールコネクタ１０とレンズモジュール５０が垂直方向にあって緊密に圧接されて相対運動が防止される。これと同時に、端子３０の導通部３６がレンズモジュール５０の底座５１の底面の金属導電片に圧接並びに導通し、これにより本考案のモジュールコネクタ１０とレンズモジュール５０の間の信号伝送が達成される。
【００２２】
更に図１３及び図１４に示されるように、上述の組立過程中に、回転カバー６０の枢設アーム６２が位置決め柱７０を回転軸として回転して二つの回転カバー６０が挿嵌空間２３に向けて下向きに回転する時、係合アーム６３はまず挟持ケース４０の係合孔４１８内に進入する。この時、ストッパ部６５が外向きに挟持ケース４０の、係合孔４１８形成後に形成される外側長壁面を押圧し、これにより弾性係合アーム６３が内向きに弾性収縮する状態とされる。その後、回転カバー６０が更に下向きに回転させられて、ストッパ部６５が挟持ケース４０の係合孔４１８を通過して絶縁ケース２０の係合溝２２５内に進入する。このとき、係合溝２２５の前後幅は係合孔４１８の前後幅より大きく、内向きに弾性収縮したストッパ部６５がこれにより上述の挟持ケース４０の外側長壁面の制限より離脱して外向きに張開し、並びに最終的に挟持ケース４０の係合孔４１８外側に位置決めされ、且つ上向きに挟持ケース４０のカバー板４１７の係合孔４１８外側に位置する部分に圧接して上向きに係合孔４１８内より離脱不能とされ、これにより、回転カバー６０がしっかりと絶縁ケース２０内に係合されて、回転カバー６０とレンズモジュール５０の垂直方向間の緊密な圧接が達成される。
【００２３】
上述したように、消費電子製品メーカーが検査或いは修理のためにレンズモジュール５０を本考案のモジュールコネクタ１０より取り外す時は、回転カバー６０の押圧片に上向きの引っ張り力を加え、並びに枢設アーム６２の回転と係合アーム６３の弾性により、ストッパ部６５を絶縁ケース２０の係合溝２２５及び係合孔４１８内より離脱させるだけで、回転カバー６０を図１１に示される開いた状態とすることができ、これにより簡単、敏捷にレンズモジュール５０を取り出すことができ、且つ工具の使用によるレンズモジュール５０損壊の情況の発生を防止できる。このほか、回転カバー６０は水平に配置されてレンズモジュール５０の底座５１の上壁と比較的大きな接触面積を有して十分に大きな圧接力を以て、レンズモジュール５０の底座５１の上壁に圧接するため、レンズモジュール５０が正確にしっかりと本考案のモジュールコネクタ１０内に位置決めされる。
【００２４】
最後に図４から図６を参照されたい。そのうち、図４の点線は本考案のモジュールコネクタ１０の各一側の中心線を示す。図４に示されるように、本考案のモジュールコネクタ１０の各一側の中心線の一側には四つの端子３０が配設され、もう一側に一つの端子３０及び圧接片４１６が配置されている。図５に示されるように、挟持ケース４０は絶縁ケース２０の外部を被覆し、挟持ケース４０の圧接片４１６が十分な水平弾性偏移量を有する。図６に示されるように端子３０は絶縁ケース２０の側板２２内に収容され、端子３０の圧接部３５が小さい水平弾性偏移量を有し、ゆえに、各圧接片４１６の圧接力は各端子３０の圧接力より明らかに大きい。好ましい状態にあって、中心線の一側の圧接片４１６及び該端子３０の圧接力の合計は中心線の別の一側の全ての端子３０の圧接力に等しく、且つ圧接片４１６及び端子３０は本考案のモジュールコネクタ１０の各側で同じ配置とされ、これによりレンズモジュール５０の挿嵌空間２３内の水平回転及び水平移動が防止される。
【図面の簡単な説明】
【００２５】
【図１】本考案のモジュールコネクタの立体組合せ図である。
【図２】図１の分解図である。
【図３】図１のモジュールコネクタに組み合わされるレンズモジュールの立体図である。
【図４】図１の平面図である。
【図５】図４のＶ−Ｖ断面図である。
【図６】図４のＶＩ−ＶＩ断面図である。
【図７】本考案のモジュールコネクタの回転カバーの組立過程立体図である。
【図８】本考案のモジュールコネクタの回転カバーの組立過程立体図である。
【図９】本考案のモジュールコネクタの回転カバーの組立過程立体図である。
【図１０】本考案のモジュールコネクタと外部レンズモジュールの組立過程立体図である。
【図１１】本考案のモジュールコネクタと外部レンズモジュールの組立過程立体図である。
【図１２】本考案のモジュールコネクタと外部レンズモジュールの組立過程立体図である。
【図１３】図１２の平面図である。
【図１４】図１３のＸＩＶ−ＸＩＶ断面図である。
【符号の説明】
【００２６】
１０  モジュールコネクタ              ２０  絶縁ケース
２１  底板                            ２２  側板
２３  挿嵌空間                        ２２１  嵌合溝
２２２  楔塊                          ２２３  枢設溝
２２４  取り付け溝                    ２２５  係合溝
２２６  圧接溝                        ２２７  端子溝
２２８  うっかり防止溝                ３０  端子
３１  基部                            ３２  ソルダー部
３３  圧接アーム                      ３４  導通アーム
３５  圧接部                          ３６  導通部
４０  挟持ケース                      ４１  挟持板
４２  収容空間                        ４１１  楔孔
４１２  嵌合アーム                    ４１３  取り付け孔
４１４  固定孔                        ４１５  固定ブロック
４１６  圧接片                        ４１７  カバー板
４１８  係合孔                        ４１９  圧接部
５０  レンズモジュール                ５１  底座
５２  レンズシート                    ５３  うっかり防止ブロック
６０  回転カバー                      ６１  押圧片
６２  枢設アーム                      ６３  係合アーム
６４  位置決め孔                      ６５  ストッパ部
７０  位置決め柱
【図１】
0003109926.tif 000003
【図２】
0003109926.tif 000004
【図３】
0003109926.tif 000005
【図４】
0003109926.tif 000006
【図５】
0003109926.tif 000007
【図６】
0003109926.tif 000008
【図７】
0003109926.tif 000009
【図８】
0003109926.tif 000010
【図９】
0003109926.tif 000011
【図１０】
0003109926.tif 000012
【図１１】
0003109926.tif 000013
【図１２】
0003109926.tif 000014
【図１３】
0003109926.tif 000015
【図１４】
0003109926.tif 000016